(57)【特許請求の範囲】
【請求項１】
天然木扉の骨組みを構成する框の間にパネル部材を固定する入子であって、前記框との接合部及び前記パネル部材との接合部を長手方向に亘って具備し、長手方向に延びる合板部材の厚さ方向両側に天然木製の飾り部材を接合してなることを特徴とする入子。
【請求項２】
請求項１において、前記合板部材が複数枚の合板を接合したものであることを特徴とする入子。
【請求項３】
請求項１又は２において、前記合板部材が前記框との接合部近傍から前記パネル部材との接合部近傍まで延設されていることを特徴とする入子。
【発明の詳細な説明】
【０００１】
【発明の属する技術分野】
本発明は、天然木製扉などの建具の骨格を構成する框の間にパネル部材を固定するための入子に関し、湿度変化を受けても接続部に隙間が生じないように工夫したものである。なお、框とは単なる呼称であり、扉の桟やパネル部材を含むものであり、勿論、横框を上桟、下桟と呼称する場合も包含するものである。
【０００２】
【従来の技術】
従来、入子は、天然木を切削して形成されていた。すなわち、天然木の幅方向一方側にパネル部材を保持する溝となるパネル部材保持部を形成すると共に、他方側には框との接合部を形成し、且つパネル部材の厚さ方向表側に飾り溝等の飾り加工を施したものである。
【０００３】
【発明が解決しようとする課題】
上述したような天然木は、予め乾燥したものであるが、使用環境の湿度変化により収縮膨張しやすく、縦横の合わせ部において隙間が生じてしまうという問題がある。
【０００４】
すなわち、図６（ａ）に示すように、パネル部材接合部１ａ及び框接合部１ｂを具備する天然木からなる入子１を用いると、図６（ｂ）に示すように、縦横の入子１同士を接合すると、経時変化により接合部２に隙間３が生じてしまうという問題がある。このような隙間３は、接合部同士を接着したり、相互に連結する部材を入れても生じてしまうものであった。
【０００５】
そこで、本発明は、このような事情に鑑み、湿度の変化があっても接合部に隙間が生じ難い入子を提供することを課題とする。
【０００６】
【課題を解決するための手段】
前記課題を解決する本発明の第１の態様は、天然木扉の骨組みを構成する框の間にパネル部材を固定する入子であって、前記框との接合部及び前記パネル部材との接合部を長手方向に亘って具備し、長手方向に延びる合板部材の厚さ方向両側に天然木製の飾り部材を接合してなることを特徴とする入子にある。
【０００７】
本発明の第２の態様は、第１の態様において、前記合板部材が複数枚の合板を接合したものであることを特徴とする入子にある。
【０００８】
本発明の第３の態様は、第１又は２の態様において、前記合板部材が前記框との接合部近傍から前記パネル部材との接合部近傍まで延設されていることを特徴とする入子にある。
【０００９】
かかる本発明では、入子の長手方向に亘って合板部材を設けたので、湿度変化による膨張収縮が規制され、例えば、縦横の接合部においても隙間が生じ難い。
【００１０】
本発明の入子は、天然木部材と合板部材とから構成される。
【００１１】
ここで、天然木部材とは、天然木の突板又は挽き板、又は柱状部材である。天然木の種類は問わないが、例えば、スギ、ヒノキ、マツ、ケヤキ、ベイマツ、ベイヒバ、ベイツガ、ベイスギなどを挙げることができる。
【００１２】
また、合板部材は、特に限定されないが、例えば、クロス張り単板などのベニアコア合板、ラワン合板などを用いることができる。
【００１３】
本発明の入子は、切削加工した天然木部材を合板部材に接合して構成してもよいが、天然木部材と合板部材を接合して従来と同様な柱状部材とした後、これを切削加工して入子とするのが望ましい。
【００１４】
【発明の実施の形態】
以下本発明を一実施形態に基づいて説明する。
【００１５】
図１は、一実施形態に係る入子及びその材料の断面構造を示す断面図である。図１（ａ）に示すように、入子１０は、溝からなるパネル部材接合部１１と、框の溝に嵌合する凸部となる框接合部１２とを幅方向両側に有し、パネル部材接合部１１近傍からから框接合部１２近傍に亘って長手方向に亘って延びる合板部材１３を具備し、その厚さ方向両側には、天然木からなる飾り部材１４を具備するものである。
【００１６】
ここで、パネル部材接合部１１及び框接合部１２は、それぞれ溝及び凸部となっているが、形状は特に限定されるものではなく、単にパネル部材側をパネル部材接合部１１、框側を框接合部１２と呼称したものである。また、合板部材１３の幅方向両側にも天然木部材が存在するが、合板部材１３が露出していても構わない。さらに、合板部材１３は、本実施形態では２枚接合したように図示しているが、１枚でもよく、３枚以上接合したものでもよい。
【００１７】
本実施形態の入子１０は、図１（ｂ）に示す入子材料１５を切削加工したものである。入子材料１５は、合板部材１３の幅方向両側に天然木部材１６を接合すると共に厚さ方向両側に天然木部材１７を接合したものである。
【００１８】
このような入子１０は、木製扉の骨組み材とパネル部材との間に用いられ、その一例を図２〜図４に示す。
【００１９】
これらの図面に示すように、木製扉２０は、左右の二本の縦框２１と、二本の縦框２１の上端部及び下端部同士を連結する上下の横框２２と、縦框２１の途中を連結する桟２３とで骨組みが構成され、これらで形成された開口部に鏡板２４が、入子１０を介して嵌め込まれた状態で固定されている。なお、縦框２１、横框２２及び桟２３は、基本的には同様な構造を有する。また、パネル部材として鏡板２４の代わりにガラス板、他の飾り板等を用いてもよい。
【００２０】
ここで、入子１０は、図２のＡ−Ａ線断面図である図３及びＢ−Ｂ線断面図である図４に示すように、骨組みの開口部にパネル部材としての鏡板２４を固定するように機能しており、パネル部材接合部１１に鏡板２４を嵌合状態で固定すると共に、框接合部１２を横框２２や桟２３又は縦框２１の溝に嵌合させて接合されている。なお、横框２２や桟２３又は縦框２１と入子１０との接合部表面には、装飾部材２５が接合されている。
【００２１】
また、入子１０の縦横の接合部は、斜め切断されて接合されているが、上述したように合板部材１３を内蔵した入子１０を用いているので、使用環境の湿度が変化しても、図５に示すように、接合部２６に隙間が生じないという効果を奏する。
【００２２】
【発明の効果】
以上説明したように、本発明によると、湿度の変化があっても接合部に隙間が生じ難い入子を提供することができる。
【図面の簡単な説明】
【図１】本発明の一実施形態に係る入子及び入子材料の断面図である。
【図２】本発明の一実施形態に係る入子を用いた木製扉の正面図である。
【図３】図２のＡ−Ａ線断面図である。
【図４】図２のＢ−Ｂ線断面図である。
【図５】一実施形態の入子の効果を示す説明図である。
【図６】従来技術に係る入子を示す説明図である。
【符号の説明】
１０  入子
１１  パネル部材接合部
１２  框接合部
１３  合板部材
１４  飾り部材
２０  木製扉
２１  縦框（框）
２２  横框（框）
２３  桟（框）
２４  鏡板
２５  装飾部材
【図１】
0004014002.tif 000002
【図２】
0004014002.tif 000003
【図３】
0004014002.tif 000004
【図４】
0004014002.tif 000005
【図５】
0004014002.tif 000006
【図６】
0004014002.tif 000007